(57)【要約】  【課題】パレット上の荷姿維持性が高く、パレットとの間の擦れ音が小さい方向転換用コンベヤを安価に提供する。  【解決手段】本発明のコンベヤローラ１は、所定の回転軸２の両端部に、径の異なる大径円板３と小径円板４が設けられている。大径円板３と小径円板４は、パレット５のスペーサ６の位置に対応するように配置されている。本発明の方向転換用コンベヤ１０は、上述のコンベヤローラ１が、カーブ状の搬送ライン１１に沿って複数配列されている。【選択図】図２
2005187169.tif 000002
【特許請求の範囲】
【請求項１】
搬送物の搬送方向を転換させるための方向転換用コンベヤであって、
所定の回転軸の所定の位置に設けられた径の異なる複数の支持用円板を有するコンベヤローラが、カーブ状の搬送ラインに沿って複数配列されていることを特徴とする方向転換用コンベヤ。
【請求項２】
前記支持用円板が、当該回転軸の２箇所に設けられていることを特徴とする請求項１記載の方向転換用コンベヤ。
【請求項３】
前記支持用円板を有するコンベヤローラが当該搬送ラインに沿って列状に配置されるように構成されていることを特徴とする請求項１又は２のいずれか１項記載の方向転換用コンベヤ。
【発明の詳細な説明】
【技術分野】
【０００１】
本発明は、例えば物品を載置したパレットを搬送するためのコンベヤに関し、特にパレットの搬送方向を転換するためのコンベヤに関する。
【背景技術】
【０００２】
従来、物品をパレット上に載置してコンベヤで搬送する場合において、パレットの搬送方向を転換するには、主としてチェーントランスファーによる直角方向転換方式が用いられている。
【０００３】
しかし、この直角転換方式の場合、パレットをフォークリフトによって抜き刺す向きを考慮して搬送ラインを設計する必要があり、そのため設置場所によって搬送ラインが制限されるという問題がある。
【０００４】
これに対し、従来、例えば図５に示すように、テーパローラ１０１を用いてカーブ部分のラインを構成することによって、パレット１０２の向き変更することなくその搬送方向を転換するコンベヤ１０３も知られている。
【０００５】
しかし、このテーパローラ１０１を用いた従来技術の場合には、ローラ搬送面とパレット１０２との間のスリップによって荷姿が崩れるとともにパレット１０２との間の擦れ音による騒音が発生するという問題があり、また、テーパローラ１０１自体は高度な製造技術を要し製作に手間がかかるため、コストアップを招くという不都合もある。
【発明の開示】
【発明が解決しようとする課題】
【０００６】
本発明は、上記従来技術の課題を解決するためになされたもので、搬送物上の荷姿維持性が高く、搬送物との間の擦れ音が小さい方向転換用コンベヤを安価に提供することを目的とする。
【課題を解決するための手段】
【０００７】
上記目的を達成するためになされた請求項１記載の発明は、搬送物の搬送方向を転換させるための方向転換用コンベヤであって、所定の回転軸の所定の位置に設けられた径の異なる複数の支持用円板を有するコンベヤローラが、カーブ状の搬送ラインに沿って複数配列されていることを特徴とする。
請求項２記載の発明は、請求項１記載の発明において、前記支持用円板が、当該回転軸の２箇所に設けられていることを特徴とする。
請求項３記載の発明は、請求項１又は２のいずれか１項記載の発明において、前記支持用円板を有するコンベヤローラが当該搬送ラインに沿って列状に配置されるように構成されていることを特徴とする。
【０００８】
本発明の場合、コンベヤローラの回転軸に径の異なる複数（例えば２つ）の支持用円板を設けて搬送物を支持するように構成されており、搬送物と支持用円板との接触部分の面積がテーパローラに比べてかなり小さく、また数点支持によるいわゆる溝効果によって、搬送物との間のスリップを低減し、物品の荷姿を安定維持させることができるとともに、搬送物との間の擦れ音による騒音の発生を防止することができる。
【０００９】
また、本発明によれば、製造コストの高いテーパローラを用いる必要がないので、方向転換用コンベヤを安価に提供することができ、かつ、重量が軽減されるため、設置場所の床強度等の設計条件を緩和することができる。
【００１０】
さらに、本発明において、コンベヤローラの支持用円板が当該搬送ラインに沿って列状に配置されるように構成されている場合には、より荷姿維持性を向上させることが可能になる。
【発明の効果】
【００１１】
本発明によれば、搬送物上の荷姿維持性が高く、搬送物との間の擦れ音が小さい方向転換用コンベヤを安価に提供することができる。
【発明を実施するための最良の形態】
【００１２】
以下、本発明の最良の実施形態を図面を参照して詳細に説明する。
図１（ａ）は、本発明に用いられるコンベヤローラの実施の形態を示す正面図、図１（ｂ）は、同コンベヤローラの寸法関係を示す正面図、図１（ｃ）は、本発明の方向転換用コンベヤの実施の形態を示す正面図、図２は、同方向転換用コンベヤの平面図である。
【００１３】
図１（ａ）に示すように、本実施の形態のコンベヤローラ１は、ステンレス等の金属からなる回転軸２を有し、この回転軸２に、径の異なる複数の支持用円板（本実施の形態の場合は、大径円板３、小径円板４）が設けられている。
【００１４】
本実施の形態の場合は、回転軸２の２箇所、すなわち、回転軸２の一方の端部側に大径円板３が設けられ、回転軸２の他方の端部側に、大径円板３より径の小さな小径円板４が設けられている。
【００１５】
ここで、大径円板３及び小径円板４は、それぞれ一対の同一の円板３ａ及び３ｂ、４ａ及び４ｂから構成されている。
【００１６】
各円板３ａ、３ｂ、４ａ、４ｂは、ステンレス等の金属からなり、大径円板３を構成する円板３ａ、３ｂと、小径円板４を構成する円板４ａ、４ｂは、それぞれ数ｍｍ程度の間隔をおいて回転軸２に固定されている。
【００１７】
図１（ｃ）に示すように、大径円板３と小径円板４は、搬送物であるパレット５の幅Ｍに対応する間隔をおいて設けられている。
【００１８】
本実施の形態の場合、大径円板３と小径円板４の間隔Ｌは、パレット５の幅Ｍより若干小さくなるように構成される。
【００１９】
本発明の場合、大径円板３と小径円板４の間隔Ｌは特に限定されることはないが、パレット５の強度を考慮すると、パレット５の両縁部に設けられたスペーサ６の位置に対応するように大径円板３と小径円板４の間隔Ｌを設定することが好ましい。
【００２０】
また、大径円板３の径Ｄと小径円板４の径ｄは、適用されるコンベヤのカーブ中心からの半径比によって決定される。
【００２１】
なお、本実施の形態の場合、荷姿維持性確保の観点から、大径円板３及び小径円板４上にパレット５を載置した状態でパレット５の上面が水平となるように回転軸２を若干傾斜させて支持部材７に支持されるように構成することが好ましい。
【００２２】
図２に示すように、本実施の形態の方向転換用コンベヤ１０は、例えば搬送方向の異なるコンベヤ８、９の間に設けられるコーナコンベヤとして用いられるもので、上述したコンベヤローラ１が、円周角が９０°の円弧状の搬送ライン１１に沿って等間隔で複数配列されている。
【００２３】
ここで、各コンベヤローラ１は、その回転軸２がそれぞれ搬送ライン１１に対して直交するように配置され、各回転軸２は、図示しない駆動手段によって同期して駆動されるように構成されている。
【００２４】
そして、本実施の形態の場合は、小径円板４が大径円板３より当該カーブの内側の部位に位置し、かつ、大径円板３と小径円板４が、それぞれ搬送ライン１１に対して平行に列状に配置されるようになっている。
【００２５】
図３は、本発明の方向転換用コンベヤを用いた搬送システムの要部構成を示す平面図である。
図３に示すように、この搬送システム２０においては、物品を載置したパレット５を順次搬送する搬送コンベヤ２１の下流側に、上述した方向転換用コンベヤ１０が配置され、この方向転換用コンベヤ１０によってコンベヤ１０上のパレット５のフォークリフト３０用開口向きを変えずにパレット５の方向を転換し、移送コンベヤ２２経由して搬送コンベヤ２１と平行な仕分けコンベヤ２３に受け渡すように構成されている。
【００２６】
仕分けコンベヤ２３には、所定の間隔をおいて浮き出し式仕分け部２４が設けられ、この浮き出し式仕分け部２４によってコンベヤ１０上のパレット５のフォークリフト３０用開口向きを変えてパレット５を仕分け、それぞれ供給コンベヤ２６を介してフォークリフト３０によって出庫部２７に移送するように構成されている。
【００２７】
以上述べたように本実施の形態によれば、コンベヤローラ１の回転軸２に径の異なる大径円板３と小径円板４を設けてパレット５を支持するように構成されており、その結果、パレット５と支持用円板との接触部分の面積がテーパローラに比べてかなり小さく、また数点支持によるいわゆる溝効果によって、パレット５との間のスリップを低減し、物品の荷姿を安定維持させることができるとともに、パレット５との間の擦れ音による騒音の発生を防止することができる。
【００２８】
また、本実施の形態によれば、製造コストの高いテーパローラを用いる必要がないので、方向転換用コンベヤを安価に提供することができる。
【００２９】
さらに、本実施の形態においては、コンベヤローラ１の大径円板３と小径円板４が搬送ライン１１に沿って列状に配置されているので、高い荷姿維持性を達成ことができる。
【００３０】
図４は、本発明の方向転換用コンベヤの他の実施の形態を示す正面図であり、以下、上記実施の形態と共通する部分については同一の符号を付しその詳細な説明を省略する。
【００３１】
図４に示すように、本実施の形態においては、回転軸２の中央部分に、大径円板３と小径円板４の間の径を有する中径円板３ａが設けられている。
【００３２】
この場合、パレット５の強度を考慮し、パレット５の中央部に設けられたスペーサ６ａの位置に対応するように一対の中径円板３ａを設けてもよい。
【００３３】
なお、本発明は上述の実施の形態に限られることなく、種々の変更を行うことができる。
例えば、上述の実施の形態では、複数の一対の円板によって搬送物を支持するようにしたが、本発明はこれに限られず、単一の円板を所定の間隔をおいて回転軸に設けることも可能である。
【００３４】
また、本発明を適用する搬送ラインのカーブは円周角９０°のものには限られず、例えば円周角１８０°など種々のカーブに適用することが可能である。
【００３５】
さらにまた、本発明はコーナコンベヤのみならず、種々のコンベヤに適用することができるものである。
【図面の簡単な説明】
【００３６】
【図１】（ａ）：本発明に用いられるコンベヤローラの例を示す正面図である。（ｂ）：同コンベヤローラの寸法関係を示す正面図である。（ｃ）：本発明の方向転換用コンベヤの実施の形態を示す正面図である。
【図２】同方向転換用コンベヤの平面図である。
【図３】本発明の方向転換用コンベヤを用いた搬送システムの要部構成を示す平面図である。
【図４】本発明の方向転換用コンベヤの他の実施の形態を示す正面図である。
【図５】テーパローラを用いた方向転換コンベヤの平面図である。
【符号の説明】
【００３７】
１…コンベヤローラ
２…回転軸
３…大径円板
４…小径円板
５…パレット（搬送物）
【図１】
2005187169.tif 000003
【図２】
2005187169.tif 000004
【図３】
2005187169.tif 000005
【図４】
2005187169.tif 000006
【図５】
2005187169.tif 000007